(57)【要約】      （修正有）【課題】マガキ類のシカメ牡蠣及びスミノエ牡蠣を、牡蠣の形を丸く育成する方法や丸長く育成する方法と育成装置を提供する。【解決手段】マガキ類のシカメ牡蠣及びスミノエ牡蠣稚貝をプラスッチクや竹及び金属材料で造った三角錐網籠１に、三角錐網籠の２つ頂点を直線にするようにロープ４で固定し、三角錐網籠を３個〜５個を連結し、潮の干満潮流で三角錐網籠の中の牡蠣稚貝達を揺らし牡蠣稚貝達を互いにぶつけ合い網の中を転がる環境にして、潮止まりの時は三角錐網籠の中では、三角錐網籠の頂点１画に牡蠣稚貝が集まり密集させる環境で牡蠣稚貝にストレスを与え、次の段階で牡蠣稚貝を移し、密集させた環境に縦置きし、最終段階でロープ及び杭で動かないようにした長方形網籠に牡蠣を移し、密集させないよう牡蠣を置いて大きく育てる環境をつくる。【選択図】図１
2015177778.tif 000002
【特許請求の範囲】
【請求項１】
マガキ類のシカメ牡蠣及びスミノエ牡蠣の稚貝を、プラスッチクや竹及び金属で作った三角錐網籠の２つ頂点を直線にするようにロープで固定し、三角錐網籠３個〜５個を連結した三角錐網籠の中にマガキ類のシカメ牡蠣及びスミノエ牡蠣の稚貝入れ、潮の干満潮流で三角錐網籠の中の牡蠣稚貝達を揺らし牡蠣稚貝達を互いにぶつけ合い網の中を転がって形を丸く整えてしまい、潮止まりの時は三角錐網籠の中では、三角錐網籠の頂点１画に牡蠣稚貝が集まり密集させる環境で牡蠣稚貝にストレスを与えて丸い形の牡蠣稚貝が出来上がり、次の段階で長方形網籠に牡蠣稚貝を移し、密集させた環境に縦置きし牡蠣の殻を丸長に上に伸ばした形にして、最終段階では杭及びアンカーで固定した長方形網籠に牡蠣を移し、密集させないような環境で牡蠣を置いて大きく育てる丸い形の牡蠣を作る事を特徴とした、マガキ類のシカメ牡蠣及びスミノエ牡蠣を丸形育成方法と装置。
【請求項２】
また、海水温度が高い時期には、マガキ類のシカメ牡蠣及びスミノエ牡蠣を入れた長方形網籠の下部にプラスッチクで長方形をした浮沈効果のある中空容器に海水が入るように底部に穴を開け、プラスッチクで長方形をした中空容器に海水が入るようにして、上部に空気抜き弁を施して海底に沈むときは空気弁を開き海水が入り海底に沈めることにより海水温が低くなりマガキ類のシカメ牡蠣及びスミノエ牡蠣の死滅を防ぎ、海上に引き上げるときや船舶に持ち上げるときは海水が低部に穴より抜けることができて、海面に浮かしたいときは空気弁を閉じて長方形網籠を海面に浮かすことができるロープで連結した、マガキ類のシカメ牡蠣及びスミノエ牡蠣の養殖する環境を変えることができる育成方法と装置で解決できることを特徴とした、請求項１のマガキ類のシカメ牡蠣及びスミノエ牡蠣を丸形育成方法と装置。
【請求項３】
さらに、海水温が低い時期やプランクトンが多い時には、マガキ類のシカメ牡蠣及びスミノエ牡蠣貝殻の成長が早く牡蠣の貝殻２枚とも丸い形が変形するために、マガキ類のシカメ牡蠣及びスミノエ牡蠣の養殖する長方形網籠を海面に斜めに浮かすフロート浮きとフロートを施した係留ロープを長方形網籠両サイドに設置し波で籠が揺れるようにすると、マガキ類のシカメ牡蠣及びスミノエ牡蠣貝殻が丸い形を保ち、長方形網籠にフロートを施した係留ロープで連結したマガキ類のシカメ牡蠣及びスミノエ牡蠣の養殖する育成方法と装置で解決できることを特徴とした、請求項１又は２のマガキ類のシカメ牡蠣及びスミノエ牡蠣を丸形育成方法と装置。
【発明の詳細な説明】
【技術分野】
【０００１】  マガキ類のシカメ牡蠣及びスミノエ牡蠣養殖の育成に関するものである。
【背景技術】
【０００２】  従来の養殖牡蠣の育成には形を丸く育成する方法が無かった。【０００３】
【特許文献１】特開２０１４−１８０９９
【特許文献２】特開平９−２６６７３６
【特許文献３】特開２００７−６０９１０
【発明の開示】
【発明が解決しようとする課題】
【０００４】  従来の牡蠣養殖育成において、牡蠣本来は２枚貝殻で片方の貝殻は平たくもう片方の貝殻は半丸形で大きく育つように養殖をしていたマガキ類のシカメ牡蠣及びスミノエ牡蠣を、牡蠣の貝殻２枚とも形を丸く育成する方法や丸長く育成する方法と育成装置で課題を解決しようとするものである。
【課題を解決するための手段】
【０００５】  目的を達成するために、マガキ類のシカメ牡蠣稚貝及びスミノエ牡蠣稚貝をプラスッチクや竹及び金属材料で作った三角錐網籠の２つ頂点を直線にするようにロープで固定した三角錐網籠を３個〜６個連結した三角錐網籠の中に牡蠣稚貝を入れ、潮の干満潮流で三角錐網籠の中の牡蠣稚貝達を揺らし牡蠣稚貝達を互いにぶつけ合い網の中を転がって形を丸く整えてしまい、また潮止まりの時は三角錐網籠の中では、三角錐網籠下部の頂点１画に転げ落ちて牡蠣稚貝が密集させる環境で牡蠣稚貝にストレスを与えて丸い形の牡蠣稚貝が出来上がり、次の段階で長方形網籠に牡蠣稚貝を移し、密集させた環境に牡蠣を縦置きし牡蠣の殻を丸長に上に伸ばした形にして、最終段階では潮流で動かないようにした長方形網籠に移し、密集させないよう牡蠣を置いて餌を多く採るようにして大きく育てる環境をつくり牡蠣の貝殻２枚とも丸い形をしたマガキ類のシカメ牡蠣及びスミノエ牡蠣を作る課題を解決した。【０００６】  また、海水温度が高い時期には、マガキ類のシカメ牡蠣及びスミノエ牡蠣を入れた長方形網籠の下部にプラスッチクで長方形をした浮沈効果のある中空容器に海水が入るように底部に穴を開け、プラスッチクで長方形をした中空容器に海水が入るようにして、反対側の上部に空気抜き弁を施して海底に沈むときは空気弁を開き海水が入り海底に沈めることにより海水温が低くなりマガキ類のシカメ牡蠣及びスミノエ牡蠣の死滅を防ぎ、海上に引き上げるときや船舶に持ち上げるときは海水が低部の穴より抜けることができて、海面に浮かしたいときは空気弁を閉じて長方形網籠を海面に浮かすことができるロープで連結した、マガキ類のシカメ牡蠣及びスミノエ牡蠣の養殖する環境を変えることができる育成方法と装置で解決できる。【０００７】  さらに、海水温が低い時期やプランクトンが多い時には、マガキ類のシカメ牡蠣及びスミノエ牡蠣貝殻の成長が早く牡蠣の貝殻２枚とも丸い形が変形するために、マガキ類のシカメ牡蠣及びスミノエ牡蠣の養殖する長方形網籠を海面に斜めに浮かすフロート浮きとフロートを施した係留ロープを長方形網籠両サイドに設置し波で籠が揺れるようにすると、マガキ類のシカメ牡蠣及びスミノエ牡蠣貝殻が丸い形を保ち、長方形網籠にフロートを施した係留ロープで連結したマガキ類のシカメ牡蠣及びスミノエ牡蠣の養殖する育成方法と装置で解決できる。
【発明の効果】
【０００８】  平成２５年５月よりマガキ類のシカメ牡蠣稚貝及びスミノエ牡蠣稚貝を入れたプラスチック三角錐網籠で実験をはじめ、６月まで２ヶ月間育て丸い形をしたマガキ類のシカメ牡蠣稚貝及びスミノエ牡蠣稚貝を７月より長方形網籠に密集させる環境で牡蠣を縦に並べて移し、８月まで２ヶ月間育てた丸長に育ったマガキ類のシカメ牡蠣及びスミノエ牡蠣を、最後に９月より潮の流れに動かないようにした長方形網籠に密集させない環境に移し餌を多く採るようにして、１０月〜１１月には丸い２枚貝殻の形をしたマガキ類のシカメ牡蠣及びスミノエ牡蠣が出来上がり丸くなった部分に実入りがあったマガキ類のシカメ牡蠣及びスミノエ牡蠣の成育方法と装置の効果である。【０００９】  また、海水温が高い時期にはマガキ類のシカメ牡蠣及びスミノエ牡蠣長方形網籠を海底に沈めることにより、海水温度が低いためマガキ類のシカメ牡蠣及びスミノエ牡蠣死滅が死滅することが少ない効果があり、ロープで連結したマガキ類のシカメ牡蠣及びスミノエ牡蠣の養殖する長方形網籠の海底養殖する育成方法と装置である。【００１０】    さらに、海水温が低い時期やプランクトンが多い時には、マガキ類のシカメ牡蠣及びスミノエ牡蠣貝殻の成長が早く牡蠣の貝殻２枚とも丸い形が変形するために、マガキ類のシカメ牡蠣及びスミノエ牡蠣の養殖する長方形網籠を海面に斜めに浮かすフロート浮きとフロートを施した係留ロープを長方形網籠両サイドに設置し波で籠が揺れるようにすると、マガキ類のシカメ牡蠣及びスミノエ牡蠣貝殻が丸い形を保つ効果があり、長方形網籠にフロートを施した係留ロープで連結したマガキ類のシカメ牡蠣及びスミノエ牡蠣の養殖する育成方法と装置である。
【発明を実施するための最良の形態】
【００１１】  以下、マガキ類のシカメ牡蠣及びスミノエ牡蠣の貝殻２枚とも丸形育成方法装置の形態を図１〜図４において説明をする。【００１２】  図１において、マガキ類のシカメ牡蠣及びスミノエ牡蠣稚貝２を入れた３角錐網籠１が海水潮流３で揺れてマガキ類のシカメ牡蠣稚貝及びスミノエ牡蠣稚貝２が互いにぶつけ合い網の中を転がって平たい貝殻を作りにくくさせるために３角錐網籠１に施した形態の側面図。【００１３】  図２においては、海水の潮止まりの時に三角錐網籠１の一点にマガキ類のシカメ牡蠣稚貝及びスミノエ牡蠣稚貝２を密集させてストレスを与え、丸い貝殻を整えるために大きくならないようにした形態の側面図。【００１４】  図３においては、マガキ類のシカメ牡蠣稚貝及びスミノエ牡蠣稚貝２−ａ長方形網籠７にマガキ類のシカメ牡蠣稚貝及びスミノエ牡蠣稚貝２−ａを縦に密集させてマガキ類のシカメ牡蠣稚貝及びスミノエ牡蠣稚貝２−ａの貝殻が上に伸びるように施した形態の側面図。【００１５】  図４においては、動かないようにした長方形網籠８にマガキ類のシカメ牡蠣及びスミノエ牡蠣２−ｂの間隔を取り、マガキ類のシカメ牡蠣及びスミノエ牡蠣２−ｂが餌を十分取れるような環境に施した形態の側面図。【００１６】  図５においては、マガキ類のシカメ牡蠣及びスミノエ牡蠣２−ｂの長方形網籠８を海底１１に沈めた形態の正面図。【００１７】  図６においては、マガキ類のシカメ牡蠣及びスミノエ牡蠣２−ｂの長方形網籠８をプラスチッ中空容器１２の底部に海水が出入りする穴１２−ａを設け、反対側プラスチッ中空容器の上部に空気弁１２−ｂを設けて、海底に沈めるときは、空気弁１２−ｂを開放して海水がプラスチッ中空容器１２の底部穴１２−ａから海水入りマガキ類のシカメ牡蠣及びスミノエ牡蠣２−ａの長方形網籠８を海底１１に設置した５図の側面図。【００１８】  図７においては、マガキ類のシカメ牡蠣及びスミノエ牡蠣２−ａの長方形網籠８を海底１１に係留ロープ４で連結設置した５図や６図の上から見た平面図。【００１９】  図８においては、マガキ類のシカメ牡蠣及びスミノエ牡蠣２−ａの養殖する長方形網籠８を海上５に斜めに浮かすフロート浮き１６とフロート５を施した係留ロープ４−ａを長方形網籠８の両サイドに設置し波で籠が揺れるようにした形態の正面図。【００２０】  図９においては、マガキ類のシカメ牡蠣及びスミノエ牡蠣２−ａの養殖する長方形網籠８を海面５に斜めに浮かすフロート浮き１６とフロート５を施した係留ロープ４−ａを長方形網籠８の両サイドに設置し波で籠が揺れるようにしたフロートを施した係留ロープ４−ａで連結設置した８図の上から見た平面図。
【図面の簡単な説明】
【００１２】
【図１】海水中に入れた三角錐網籠が潮の流れで揺れている形態の側面図。
【図２】海水中に入れた三角錐網籠が潮止まり形態の側面図。
【図３】長方形網籠に丸牡蠣を縦に密集させて入れた形態の側面図。
【図４】長方形網籠に丸牡蠣の間隔を取り、餌を十分取れるようにした形態の側面図。
【図５】長方形網籠を浮沈装置で海底に落した形態の正面図。
【図６】長方形網籠を浮沈装置で海底に落した形態の側面図。
【図７】長方形網籠を浮沈装置で海底に落し連結した形態の平面図。
【図８】長方形網籠を海面に斜めにフロートした形態の正面図。
【図９】長方形網籠を海面に斜めにフロートし連結した形態の平面図。
【符号の説明】
【００１３】１    三角錐網籠。
２    マガキ類のシカメ牡蠣稚貝及びスミノエ牡蠣稚貝。
２−ａ丸い形の貝殻したマガキ類のシカメ牡蠣稚貝及びスミノエ貝牡蠣稚貝。
２−ｂ丸い形の貝殻したマガキ類のシカメ牡蠣及びスミノエ貝牡蠣。
３    海水の流れる方向矢印。
４    三角錐網籠をつなぐロープ。
４−ａフロート５を施した係留ロープ。
５    海面。
６    アンカー。
７    稚貝の長方形網籠。
８    成貝の長方形網籠。
９    固定杭柱。
１０  フロートブイ。
１１  海底。
１２  浮沈容器
１２−ａ浮沈容器の底部に施した海水出入り穴。
１２−ｂ浮沈容器の上部に施した空気弁。
【図１】
2015177778.tif 000003
【図２】
2015177778.tif 000004
【図３】
2015177778.tif 000005
【図４】
2015177778.tif 000006
【図５】
2015177778.tif 000007
【図６】
2015177778.tif 000008
【図７】
2015177778.tif 000009
【図８】
2015177778.tif 000010
【図９】
2015177778.tif 000011